【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
体に装着し常時または間欠的に生体信号を測定する生体信号測定装置であって、
体の一部に装着する装着部と、
前記装着部に設けられ体の特定部位に密着して生体信号を検出する検出部と、
前記検出部で測定処理を行わせて、前記生体信号を検出させる測定処理部と、
前記検出部の出力に基づき測定環境を判定する測定環境判定部と、
前記測定環境判定部により判定した結果に応じて判定結果をユーザに通知する測定環境通知部と、
前記検出部の測定環境を調節する測定環境調節部と、
を備えてなることを特徴とする生体信号測定装置。
【請求項２】
体に装着し常時または間欠的に生体信号を測定する生体信号測定装置であって、
体の一部に装着する装着部と、
前記装着部に設けられ体の特定部位に密着して生体信号を検出する検出部と、
前記検出部で測定処理を行わせて、前記生体信号を検出させる測定処理部と、
前記検出部における測定環境の検知を行う測定環境検知部と、
前記測定環境検知部の出力に基づき測定環境を判定する測定環境判定部と、
前記測定環境判定部により判定した結果に応じて判定結果をユーザに通知する測定環境通知部と、
前記検出部の測定環境を調節する測定環境調節部と、
を備えてなることを特徴とする生体信号測定装置。
【請求項３】
前記測定環境判定部は、さらに前記検出部の出力に基づき測定環境を判定することを特徴とする請求項２に記載の生体信号測定装置。
【請求項４】
前記測定環境通知部は、前記測定環境判定部による測定環境の判定が良好でない場合は、該測定環境が良好な状態となるまで、継続的あるいは断続的に通知を行うことを特徴とする請求項１ないし３のいずれか１項に記載の生体信号測定装置。
【請求項５】
前記測定環境通知部は、測定環境をレベル通知することを特徴とする請求項１ないし４のいずれか１項に記載の生体信号測定装置。
【請求項６】
前記測定処理部は、前記測定環境判定部により測定環境が良好と判断された場合に、前記検出部からの出力に基づき生体信号の測定を実行することを特徴とする請求項１ないし５のいずれか１項に記載の生体信号測定装置。
【請求項７】
前記測定環境判定部は、複数の環境情報に基づき判定結果を導出することを特徴とする請求項１ないし３のいずれか１項に記載の生体信号測定装置。
【請求項８】
前記測定環境通知部は、複数の環境情報に基づく判定結果をそれぞれ異なる態様で通知することを特徴とする請求項７に記載の生体信号測定装置。
【請求項９】
前記測定環境判定部は、前記検出部の位置に基づいた測定環境と、前記検出部における加圧の圧力に基づいた測定環境と、生体信号に基づいた測定環境のうち少なくとも２つを判定結果に含むことを特徴とする請求項７または８に記載の生体信号測定装置。
【請求項１０】
体に装着し常時または間欠的に生体信号を測定する生体信号測定装置であって、
体の一部に装着する装着部と、
前記装着部に設けられ体の特定部位に密着して生体信号を検出する検出部と、
前記検出部で測定処理を行わせて、前記生体信号を検出させる測定処理部と、
前記検出部における測定環境の検知を行う測定環境検知部と、
前記測定環境検知部の出力に基づき測定環境を判定する測定環境判定部と、
前記測定環境判定部により判定した結果に応じて、前記検出部の測定環境を調節する測定環境調節部と、
を備えてなることを特徴とする生体信号測定装置。
【請求項１１】
前記測定環境判定部は、前記測定環境検知部及び前記検出部の出力に基づき測定環境を判定することを特徴とする請求項１０に記載の生体信号測定装置。
【請求項１２】
前記測定環境判定部は、前記検出部により検出された生体信号の所定の周波数の振幅に基づいて測定環境を判定することを特徴とする請求項１、３または１１のいずれか１項に記載の生体信号測定装置。
【請求項１３】
前記測定処理部は、前記測定環境判定部により測定環境が良好と判断された場合に、前記検出部からの出力に基づき生体信号の測定を実行することを特徴とする請求項１０ないし１２のいずれか１項に記載の生体信号測定装置。
【請求項１４】
前記測定環境判定部により判定した結果に応じて判定結果をユーザに通知する測定環境通知部をさらに備え、前記測定環境通知部は、前記測定処理部による測定結果が良好でない場合は、測定結果が良好でない旨を通知することを特徴とする請求項１０ないし１２のいずれか１項に記載の生体信号測定装置。
【請求項１５】
前記測定環境調節部は、測定環境の検知時と生体信号の測定時以外は、前記装着部を緩めるように駆動する請求項１０ないし１２のいずれか１項に記載の生体信号測定装置。
【請求項１６】
前記測定環境検知部による測定環境の検知および前記測定処理部による生体信号の測定を間欠的に行うことを特徴とする請求項１、２、３、１０または１１のいずれか１項に記載の生体信号測定装置。
【請求項１７】
前記測定環境検知部は、前記検出部における体の一部への押圧環境を検知することを特徴とする請求項２ないし１６のいずれか１項に記載の生体信号測定装置。
【請求項１８】
前記測定環境検知部は、前記検出部と測定対象との相対位置を検出する位置検知部であることを特徴とする請求項２ないし１６のいずれか１項に記載の生体信号測定装置。
【請求項１９】
前記位置検知部は、２以上のセンサで検出された生体信号に基づいて相対位置を検知することを特徴とする請求項１８に記載の生体信号測定装置。
【請求項２０】
前記位置検知部のセンサが２つであった場合に、上記２つのセンサが前記検出部をはさむように配置されることを特徴とする請求項１９に記載の生体信号測定装置。
【請求項２１】
前記測定環境調節部は、前記検出部の体の一部への押圧の圧力の調節を行うことを特徴とする請求項１ないし２０のいずれか１項に記載の生体信号測定装置。
【請求項２２】
前記測定環境調節部は、前記検出部の体に対する相対位置の調節を行うことを特徴とする請求項１ないし２０のいずれか１項に記載の生体信号測定装置。
【請求項２３】
前記装着部は体に対する生体信号測定装置の回転防止部材を設けてなることを特徴とする請求項１ないし２０のいずれか１項に記載の生体信号測定装置。
【請求項２４】
体に対する生体信号測定装置の回転防止部材は、前記測定環境調節部に一体に形成されてなることを特徴とする請求項２３に記載の生体信号測定装置。
【請求項２５】
前記検出部は、光学的に生体信号を検出することを特徴とする請求項１ないし２４のいずれか１項に記載の生体信号測定装置。
【請求項２６】
体に装着し常時または間欠的に生体信号を測定する生体信号測定方法であって、
体の特定部位に密着して生体信号を検出する際の測定環境を判定する第１のステップと、
前記判定された測定環境が良好でない場合、ユーザに通知する第２のステップと、
前記判定された測定環境が良好であった場合、所定の生体信号の測定を実行する第３のステップと、
を含むことを特徴とする生体信号測定方法。
【請求項２７】
体に装着し常時または間欠的に生体信号を測定する生体信号測定方法であって、
体の特定部位に密着して生体信号を検出する際の測定環境を判定する第１のステップと、
前記判定された測定環境が良好でない場合、測定環境を調節する第２のステップと、
前記判定された測定環境が良好であった場合、所定の生体信号の測定を実行する第３のステップと、
を含むことを特徴とする生体信号測定方法。
【請求項２８】
さらに、前記第１のステップにおいて測定環境が良好と判定されなかった場合、前記第１のステップにおいて測定環境が良好と判定されるまで、前記第１のステップと前記第２のステップを繰り返すステップを含むことを特徴とする、請求項２６または２７に記載の生体信号測定方法。
【請求項２９】
請求項２６ないし２８のいずれか１項に記載の生体信号測定方法を、コンピュータに実行させるためのコンピュータプログラム。
【手続補正２】
【補正対象書類名】明細書
【補正対象項目名】００７５
【補正方法】変更
【補正の内容】
【００７５】
無線通信部１０９は、前記測定処理部１０８により測定された生体情報をＩＥＥＥ８０２.１１やＢｌｕｅｔｏｏｔｈ（商標登録）などの無線通信により、アンテナ１０９−１を介して外部機器への転送を行う。また、逆にアンテナ１０９−１を介して外部機器より測定の実行などの制御情報や設定情報などを受信し、前記測定部１０８への伝達を行う。
【手続補正３】
【補正対象書類名】明細書
【補正対象項目名】００８１
【補正方法】変更
【補正の内容】
【００８１】
Ｓ００４において、前記測定環境通知部１０４は、表示部１０４−１の緑色のＬＥＤランプを一定時間明滅させ、続いて、Ｓ００５において前記測定処理部１０８が前記検出部１０３を駆動し前述の動作原理に基づき測定を実行する。最後に、Ｓ００６において、前記測定処理部１０８は前記無線通信部１０９により所定の外部機器、ここでは本人体装着センサ１００のユーザの携帯電話へ測定された生体情報を転送し、測定処理を終了する。